(57)【要約】  本発明の実施例は、情報状態測定方法、装置及び通信システムを提供する。前記方法は、基地局が、１つのサブフレーム内で、あるユーザ装置の下り伝送ノードが変わるかを判断し；判断結果が「変わる」の場合に、前記１つのサブフレームのチャネル状態測定の関連情報を構成し；及び、前記基地局のカバレッジ内の１つ又は複数のユーザ装置に前記関連情報を通知し、前記１つ又は複数のユーザ装置に前記関連情報に基づいてチャネル状態測定を行わせることを含む。本発明の実施例により、下り伝送ノードがサブフレームを単位として変化時しても、ユーザ装置は、チャネル状態測定を正確に行うことができる。
2018509080.tif 000002
【特許請求の範囲】
【請求項１】
基地局に構成されるチャネル状態測定装置であって、
１つのサブフレーム内で、あるユーザ装置の下り伝送ノードが変わるかを判断するための判断ユニット；
前記判断ユニットの判断結果が「変わる」の場合に、前記１つのサブフレームのチャネル状態測定の関連情報を構成するための構成ユニット；及び
前記基地局のカバレッジ内の１つ又は複数のユーザ装置に前記関連情報を通知し、前記１つ又は複数のユーザ装置が前記関連情報に基づいてチャネル状態測定を行うようにさせるための通知ユニットを含む、装置。
【請求項２】
請求項1に記載の装置であって、
前記判断ユニットは、前記１つのサブフレーム内で、前記ユーザ装置の下り伝送ノードが、第一伝送ノードから第二伝送ノードに変わる場合に、又は、前記１つのサブフレーム内で、前記ユーザ装置が、第一伝送ノードによる上りサービスから第二伝送ノードによる下りサービスに変わる場合に、前記１つのサブフレーム内で、前記ユーザ装置の下り伝送ノードが変わると判定する、装置。
【請求項３】
請求項1に記載の装置であって、
前記通知ユニットは、前記１つのサブフレームの内又は前で、前記ユーザ装置に前記関連情報を通知する、装置。
【請求項４】
請求項1に記載の装置であって、
前記関連情報は、前記チャネル状態測定の構成情報及び/又は前記構成情報に対応する指示情報を含む、装置。
【請求項５】
請求項4に記載の装置であって、
前記構成情報は、前記サブフレームにおいて測定されるリソース情報；前記測定されるリソース上で伝送される、測定される信号情報；チャネル状態測定の類型情報；チャネル状態測定の処理情報；及びチャネル状態測定の報告情報、のうちの１つ又は複数を含む、装置。
【請求項６】
請求項5に記載の装置であって、
前記サブフレームにおいて測定されるリソース情報は、前記ユーザ装置が測定するリソースの時間領域位置、周波数領域位置、又は空間領域位置を含み、
前記測定される信号情報は、CRS、CSI-RS、DM-RS又はユーザ固有参照信号を含み、
前記チャネル状態測定の類型情報は、干渉測定、信号対干渉及びノイズ比測定、又は信号強度測定を含み、
前記チャネル状態測定の処理情報は、前記サブフレームの測定結果と、過去の同類型の測定結果との平均化を行う情報、前記サブフレームの測定結果と、過去の同類型の、所定時間内又は所定数量のサブフレーム内の測定結果との平均化を行う情報、又は前記サブフレームの測定結果を以て過去の同類型の測定結果を置換する情報を含み、
前記チャネル状態の報告情報は、周期的報告情報又は非周期的報告情報を含む、装置。
【請求項７】
請求項6に記載の装置であって、
前記周期的報告情報は、周期報告及び/又は測定結果報告のために使用するリソース位置、或いは、トリガーメッセージ及び/又はトリガーメッセージを送信する位置を含み、
前記非周期性報告情報は、トリガーメッセージ、トリガーメッセージを送信する位置、及び/又は測定結果報告のために使用するリソース位置を含む、装置。
【請求項８】
請求項4に記載の装置であって、
前記関連情報が前記構成情報に対応する指示情報であるときに、前記通知ユニットは、予め、前記構成情報及び前記構成情報と前記指示情報との対応関係を前記ユーザ装置に通知する、装置。
【請求項９】
請求項1に記載の装置であって、
前記関連情報は、無線リソース制御メッセージ又は物理層メッセージにより搬送される、装置。
【請求項１０】
請求項4に記載の装置であって、
前記指示情報は、チャネル状態情報プロセスＩＤである、装置。
【請求項１１】
ユーザ装置に構成されるチャネル状態測定装置であって、
基地局が、１つのサブフレーム内で、あるユーザ装置の下り伝送ノードが変わると判断した場合に、前記基地局が通知した前記１つのサブフレームのチャネル状態測定の関連情報を受信するための受信ユニット；及び
前記関連情報に基づいてチャネル状態測定を行うための処理ユニットを含む、装置。
【請求項１２】
請求項1に記載の装置であって、
前記関連情報は、前記チャネル状態測定の構成情報及び/又は前記構成情報に対応する指示情報を含む、装置。
【請求項１３】
請求項12に記載の装置であって、
前記構成情報は、前記サブフレームにおいて測定されるリソース情報；前記測定されるリソース上で伝送される、測定される信号情報；チャネル状態測定の類型情報；チャネル状態測定の処理情報；及びチャネル状態測定の報告情報、のうちの１つ又は複数を含む、装置。
【請求項１４】
請求項13に記載の装置であって、
前記サブフレームにおいて測定されるリソース情報は、前記ユーザ装置が測定するリソースの時間領域位置、周波数領域位置、又は空間領域位置を含み、
前記測定される信号情報は、CRS、CSI-RS、DM-RS、又はユーザ固有の参照信号を含み、
前記チャネル状態測定の類型情報は、干渉測定、信号対干渉及びノイズ比測定、又は信号強度測定を含み、
前記チャネル状態測定の処理情報は、前記サブフレームの測定結果と、過去の同類型の測定結果との平均化を行う情報、前記サブフレームの測定結果と、過去の同類型の、所定時間内又は所定数量のサブフレーム内の測定結果との平均化を行う情報、又は前記サブフレームの測定結果を以て過去の同類型の測定結果を置換する情報を含み、
前記チャネル状態の報告情報は、周期的報告情報又は非周期的報告情報を含む、装置。
【請求項１５】
請求項14に記載の装置であって、
前記周期的報告情報は、周期報告及び/又は測定結果報告のために使用するリソース位置、或いは、トリガーメッセージ及び/又はトリガーメッセージを送信する位置を含み、
前記非周期的報告情報は、トリガーメッセージ、トリガーメッセージを送信する位置、及び/又は測定結果報告のために使用するリソース位置を含む、装置。
【請求項１６】
請求項12に記載の装置であって、
前記関連情報が前記構成情報に対応する指示情報であるときに、前記受信ユニットは、予め、前記基地局が通知した前記構成情報及び前記構成情報と前記指示情報との対応関係を受信する、装置。
【請求項１７】
請求項11に記載の装置であって、
前記関連情報は、RRCメッセージ又は物理層メッセージにより搬送される、装置。
【請求項１８】
請求項11に記載の装置であって、
前記指示情報は、チャネル状態情報プロセスＩＤである、装置。
【請求項１９】
通信システムであって、
基地局であって、１つのサブフレーム内で、あるユーザ装置の下り伝送ノードが変わるかを判断し；判断結果が「はい」のときに、前記１つのサブフレームのチャネル状態測定の関連情報を構成し；及び、前記基地局のカバレッジ内の１つ又は複数のユーザ装置に前記関連情報を通知し、前記１つ又は複数のユーザ装置が前記関連情報に基づいてチャネル状態測定を行うようにさせる基地局と、
前記基地局が通知した前記関連情報を受信し、前記関連情報に基づいてチャネル状態測定を行うユーザ装置と、を含む、通信システム。
【請求項２０】
請求項10に記載の通信システムであって、
前記基地局は、前記１つのサブフレーム内で、前記あるユーザ装置の下り伝送ノードが、第一伝送ノードから第二伝送ノードに変わる場合に、又は、前記１つのサブフレーム内で、前記あるユーザ装置が、第一伝送ノードによる上りサービスから第二伝送ノードによる下りサービスに変わる場合に、前記１つのサブフレーム内で、前記あるユーザ装置の下り伝送ノードが変わると判定する、通信システム。
【発明の詳細な説明】
【技術分野】
【０００１】
本発明は、通信技術分野に関し、特に、チャネル状態測定方法、装置及び通信システムに関する。
【背景技術】
【０００２】
今のところ、LTE（Long  Term  evolution）システムにおける伝送ノードの上り下り構成は、フレームを単位として変化する。そのうち、１つのフレームは、10個のサブフレームを含み、１つのフレームでは、各サブフレームの上り下り構成が変わることがない。正確なチャネル状態測定を行うために、ネットワーク側は、伝送ノードの上り下り構成が変わる前に、予め異なる類型のチャネル状態測定情報を構成することができ、各類型は、異なる測定されるサブフレーム位置、異なる測定されるリソース構成、異なる測定方法などの情報に対応する。
【０００３】
よって、従来案では、チャネル状態測定は、伝送ノードの上り下り構成に基づいて、フレームを単位として変化するため、該フレームに関連する構成情報は、予めユーザ装置に構成することができ、その後、ユーザ装置は、構成情報に基づいて、対応するサブフレームにおいて、対応する測定構成に従って測定を行うことができる。
【０００４】
なお、上述の背景技術の紹介は、本発明の技術案を明確且つ完全に説明し、当業者がそれを理解し得るためだけのものである。これらの案は、本発明の背景技術の部分に記述されているため、当業者に周知であると解釈されてはいけない。
【発明の概要】
【発明が解決しようとする課題】
【０００５】
発明者は、次のようなことを発見した。即ち、システム容量をさらに向上させるために、システムは、伝送ノードの上り下り構成を、サブフレームを単位として変化するようにさせることができるが、従来のメカニズムでは、ネットワーク側で予め該フレームのチャネル状態測定情報が構成されているため、伝送ノードの上り下り構成が、あるサブフレーム内で変化する時に、ユーザ装置は、予め該サブフレームのチャネル状態測定の構成に関連する情報を把握することができず、これにより、測定が不正確になることがある。今のところ、従来技術には、解決案がまだ存在しない。
【０００６】
本発明の実施例は、チャネル状態測定方法、装置及び通信システムを提供する。基地局は、１つのサブフレーム内で、あるユーザ装置の下り伝送ノードが変わるかを判断し、変わる場合に、該１つのサブフレームのチャネル状態測定に関連する関連情報を構成し、ユーザ装置が前記関連情報に基づいてチャネル状態測定を行うようにさせ、これにより、下り伝送ノードがサブフレームを単位として変化しても、ユーザ装置は、正確なチャネル状態測定を行うことができる。
【課題を解決するための手段】
【０００７】
本発明の実施例の第一側面によれば、チャネル状態測定装置が提供され、それは、基地局に構成され、そのうち、該装置は、
判断ユニットであって、１つのサブフレーム内で、あるユーザ装置の下り伝送ノードが変わるかを判断するためのもの；
構成ユニットであって、該判断ユニットの判断結果が「変わる」の場合、該１つのサブフレームのチャネル状態測定の関連情報を構成するためのもの；及び
通知ユニットであって、該基地局のカバレッジ内の１つ又は複数のユーザ装置に該情報を通知し、これにより、該１つ又は複数のユーザ装置は、該情報に基づいてチャネル状態測定を行うためのものを含む。
【０００８】
本発明の実施例の第二側面によれば、チャネル状態測定装置が提供され、それは、ユーザ装置に構成され、そのうち、該装置は、
受信ユニットであって、基地局が、１つのサブフレーム内で、あるユーザ装置の下り伝送ノードが変わると判定した場合、該基地局が通知した該１つのサブフレームのチャネル状態測定の関連情報を受信するためのもの；及び
処理ユニットであって、該関連情報に基づいてチャネル状態測定を行うためのものを含む。
【０００９】
本発明の実施例の第三側面によれば、通信システムが提供され、該通信システムは、
基地局及びユーザ装置を含み、
前記基地局は、１つのサブフレーム内で、あるユーザ装置の下り伝送ノードが変わるかを判断し；変わると判断した場合、該１つのサブフレームのチャネル状態測定の関連情報を構成し；及び、該基地局のカバレッジ内の１つ又は複数のユーザ装置に該関連情報を通知し、該１つ又は複数のユーザ装置が該関連情報に基づいてチャネル状態測定を行うようにさせ、
前記ユーザ装置は、基地局が通知した該関連情報を受信し、該関連情報に基づいてチャネル状態測定を行う。
【００１０】
本発明の実施例の第四側面によれば、コンピュータ可読プログラムが提供され、そのうち、ユーザ装置中で前記プログラムを実行する時に、前記プログラムは、コンピュータに、前記ユーザ装置中で上述のチャネル状態測定方法を実行させる。
【００１１】
本発明の実施例の第五側面によれば、コンピュータ可読プログラムを記憶した記憶媒体が提供され、そのうち、前記コンピュータ可読プログラムは、コンピュータに、ユーザ装置中で上述のチャネル状態測定方法を実行させる。
【００１２】
本発明の実施例の第六側面によれば、コンピュータ可読プログラムが提供され、そのうち、基地局中で前記プログラムを実行する時に、前記プログラムは、コンピュータに、前記基地局中で上述のチャネル状態測定方法を実行させる。
【００１３】
本発明の実施例の第七側面によれば、コンピュータ可読プログラムを記憶した記憶媒体が提供され、そのうち、前記コンピュータ可読プログラムは、コンピュータに、基地局中で上述のチャネル状態測定方法を実行させる。
【００１４】
本発明の実施例の有益な効果は、基地局は、１つのサブフレーム内で、あるユーザ装置の下り伝送ノードが変わるかを判断し、変わる場合、該１つのサブフレームのチャネル状態測定の関連情報を構成し、ユーザ装置が前記関連情報に基づいてチャネル状態測定を行うようにさせ、これにより、下り伝送ノードがサブフレームを単位として変化しても、ユーザ装置は、正確なチャネル状態測定を行うことができる。
【００１５】
後述の説明及び図面に基づいて、本発明の特定の実施方式を詳細に開示し、本発明の原理が採用され得る方式を明確にする。なお、本発明の実施方式は、範囲上でそれによって限定されない。添付した特許請求の範囲の精神及び技術的範囲内では、本発明の実施方式は、あらゆる変形、変更に及び代替によるものも含む。
【００１６】
１つの実施方式について説明した及び／又は示した特徴は、同じ又は類似した方式で、１つ又は複数の他の実施方式に使用し、他の実施方式における特徴と組み合わせ、又は、他の実施方式における特徴を置換することができる。
【００１７】
なお、「包括／含む」のような用語は、本文に使用する時に、特徴、装置全体、ステップ又はアセンブリの存在を指すが、１つ又は複数の他の特徴、装置全体、ステップ又はアセンブリの存在又は付加を排除しないことをも指す。
【図面の簡単な説明】
【００１８】
以下の図面を参照することによって、本発明の多くの側面をより良く理解することができる。図面中の部品は、比例して描かれたものではなく、本発明の原理を示すためだけのものである。また、本発明の一部を示す又は説明するために、図面中の対応する部分は、拡大又は縮小することがある。
【００１９】
本発明の１つの図面又は１つの実施方式に記載の要素及び特徴は、１つ又は複数の他の図面又は実施方式に示した要素及び特徴と組み合わせることができる。また、図面では、類似した符号は、幾つの図面中の対応する部品を示し、複数の実施方式中の対応する部品を示すためにも用いられる。
【図１】LTEシステムにおける伝送ノードの上り下り構成がフレームを単位として変化する応用シナリオを示す図である。
【図２】本発明の実施例における伝送ノードの上り下り構成がサブフレームを単位として変化する応用シナリオを示す図である。
【図３】本発明の実施例1におけるチャネル状態測定方法のフローチャートである。
【図４】本発明の実施例2におけるチャネル状態測定方法のフローチャートである。
【図５】本発明の実施例3におけるチャネル状態測定装置の構成図である。
【図６】本発明の実施例3における基地局の構成図である。
【図７】本発明の実施例4におけるチャネル状態測定装置の構成図である。
【図８】本発明の実施例4におけるユーザ装置の構成図である。
【図９】本発明の実施例5における通信システムの構成図である。
【発明を実施するための形態】
【００２０】
添付した図面及び本明細書により、本発明の実施例の前述及び他の特徴は、より明確になる。なお、明細書及び図面では、本発明の特定の実施方式が具体的に開示されているが、それらは、本発明の原理を採用し得る一部のみの実施方式である。また、理解すべきは、本発明は、記載されている実施方式に限定されず、添付した特許請求の範囲に属する全ての変更、変形及び代替によるものも含む。
【００２１】
本実施例では、伝送ノードの上り下り構成がサブフレームを単位として変化することを応用シナリオとする。以下、先ず、上述の応用シナリオについて例示に説明する。
【００２２】
図1は、LTEシステムにおける伝送ノードの上り下り構成がフレームを単位として変化する応用シナリオを示す図である。図2は、本実施例における伝送ノードの上り下り構成がサブフレームを単位として変化する応用シナリオを示す図である。
【００２３】
図1及び図2に示すように、図には、２つの、異なる領域をカバーする伝送ノード（transmission  point、TP）TP1及びTP2がある。そのうち、TP1及びTP2は、異なるセル（２つのセルには異なるセル標識（ID）を有する）をサービングすることができ、又は、同一のセル（２つのTPのカバレッジには同じセル標識を有する）をサービングすることができる。
【００２４】
図1では、ユーザ装置（user  equipment、UE）1及びユーザ装置2は、特定の上り下り構成に従ってTP2によりサービングされ、この構成は、フレーム（10個のサブフレームを含む）を単位として変化し、即ち、図1では、一旦、１つのフレームの上り下り構成が与えられたら、該フレームが終了する前に、該構成は、変わることがない。
【００２５】
図2では、伝送ノードの上り下り構成が、フレームでなく、サブフレームを単位として変化する。例えば、
１つの場合、図1では、ユーザ装置1及びユーザ装置2は、それぞれ、第3及び第4サブフレームにおいてTP2により上りサービスが提供される。これに対して、図2では、ユーザ装置1は、第3サブフレームにおいてTP2により上りサービスが提供される時に、ユーザ装置2は、TP1により下りサービスが提供され得る。同様に、ユーザ装置2は、第4サブフレームにおいて伝送ノード2により上りサービスが提供される時に、ユーザ装置1は、TP1により下りサービスが提供され得る。即ち、ユーザ装置2は、第3サブフレームにおける上り下り構成が変わり（TPもそれに伴って変わる）、ユーザ装置1は、第4サブフレームにおける上り下り構成が変わる（TPもそれに伴って変わる）。
【００２６】
もう１つの場合、図1では、ユーザ装置1及びユーザ装置2は、それぞれ、第6及び第7サブフレームにおいてTP2により下りサービスが提供される。これに対して、図2では、ユーザ装置1及びユーザ装置2の第6及び第7サブフレームにおける下りサービングノードがTP1に変わっていると同時に、ユーザ装置2及びユーザ装置1は、それぞれ、第6及び第7サブフレームにおいてTP2により上りサービスが提供される。
【００２７】
以上、２つの場合をもとに、伝送ノードの上り下り構成がサブフレームを単位として変化し得ることを説明した。サブフレームにおける伝送ノードの上り下り構成を動的に変えるメカニズム下で、ユーザが正確なチャネル状態測定を行うために、本実施例は、次のようなチャネル状態測定方法を提案し、以下、如何にチャネル状態測定を行うかについて詳細に説明する。
【実施例１】
【００２８】
本発明の実施例1は、チャネル状態測定方法を提供し、基地局側からそれを説明する。図3は、本発明の実施例1のチャネル状態測定方法のフローチャートである。図3に示すように、該方法は、次のようなステップを含む。
【００２９】
ステップ301：基地局が、１つのサブフレーム内で、あるユーザ装置の下り伝送ノードが変わるかを判断し；
ステップ302：ステップ301中の判断結果が「変わる」の場合、該サブフレームのチャネル状態測定の関連情報を構成し；
ステップ303：該基地局のカバレッジ内の１つ又は複数のユーザ装置に該関連情報を通知し、該１つ又は複数のユーザ装置が該関連情報に基づいてチャネル状態測定を行うようにさせる。
【００３０】
本実施例では、伝送ノードがサブフレームを単位として変化するので、基地局は、予め、１つのサブフレーム内で、下り伝送ノードが変わるユーザ装置があるかを判断し、判断結果が「はい」の場合、該サブフレームのチャネル状態測定の関連情報を構成し、ユーザ装置が、対応するサブフレームに対して、正確にチャネル状態測定を行えるようにさせる。
【００３１】
本実施例のステップ301は、具体的に、１つのサブフレーム内でユーザ装置の下り伝送ノードが第一伝送ノードから第二伝送ノードに変わり、又は、１つのサブフレーム内でユーザ装置が第一伝送ノードによる上りサービスから第二伝送ノードによる下りサービスに変わる場合、基地局は、１つのサブフレーム内でユーザ装置の下り伝送ノードが変わると判定する。
【００３２】
例えば、図1及び図2に示すように、第6個目及び第7個目のサブフレーム内で、UE1及びUE2の下り伝送ノードがTP2からTP1に変わり、この場合、第6個目及び第7個目のサブフレーム内で、UE1及びUE2の下り伝送ノードが変わることを表し、又は、第3個目のサブフレーム内で、UE1がTP2による上りサービスからTP1による下りサービスに変わり、第4個目のサブフレームで、UE2がTP2による上りサービスからTP1による下りサービスに変わり、この場合、第3個目及び第4個目のサブフレーム内で、UE1及びUE2の下り伝送ノードが変わることを表す。
【００３３】
本実施例では、基地局は、該フレームの前又は該フレームの内でステップ301の判断を行っても良いが、本実施例は、これについて限定しない。
【００３４】
チャネル状態測定は、複数種の異なる類型に分けることができ、各類型は、異なるチャネル状態測定の情報に対応し、各類型に対応して、ユーザは、独立した測定を行う必要があり、よって、１つのサブフレーム内でユーザ装置の下り伝送ノードが変わる時に、基地局は、ユーザ装置に、該サブフレームのチャネル状態測定に関する構成情報を通知する必要がある。
【００３５】
本実施例では、該構成情報は、次のような情報のうちの１つの又は複数を含んでも良く、即ち、該サブフレーム内で測定されるリソース情報、該測定されるリソース上で伝送される、測定される信号情報、チャネル状態測定の類型情報、チャネル状態測定の処理情報、チャネル状態測定の報告情報などである。
【００３６】
そのうち、該サブフレーム内で測定されるリソース情報は、ユーザ装置が該サブフレーム内のどのリソースに対して測定を行う必要があるかを示し、例えば、測定されるリソース情報は、ユーザ装置が測定するリソースの時間領域位置、周波数領域位置又は空間領域位置を含み、或いは、該サブフレームに対しての測定が、予め構成されたどの種類のサブフレーム・サブセットの測定と同じであるかを指示する場合、予め構成されたサブフレーム・サブセットは、該サブフレーム内で測定されるリソースの位置を示す。
【００３７】
そのうち、該測定されるリソース上で伝送される、測定される信号情報は、ユーザ装置がどの信号に対して測定を行う必要があるかを示し、例えば、セル固有の参照信号（Cell-specific  reference  signals、CRS）又はチャネル状態情報の参照信号（Channel  state  information  reference  signals、CSI-RS）又は復調用の参照信号（demodulation  reference  signal、DM-RS）又はユーザ固有の参照信号（user  equipment  specific  reference signal、UE-specific RS）の情報（信号のシーケンス情報、パワー情報などの）である。
【００３８】
そのうち、チャネル状態測定の類型情報は、ユーザ装置が測定する必要があるパラメータを示し、例えば、干渉測定、信号対干渉及びノイズ比測定、又は信号強度測定などのである。
【００３９】
そのうち、チャネル状態測定の処理情報は、ユーザ装置が如何に測定結果を処理するかの方法情報を示し、例えば、該サブフレームの測定結果と、過去の同類型の測定結果との平均化を行い、又は、サブフレームの測定結果と、過去の同類型の所定時間内又は所定数量のサブフレーム内の測定結果との平均化を行い、又は、サブフレームの測定結果で過去の同類型の測定結果を置換する情報である。
【００４０】
そのうち、チャネル状態の報告情報は、ユーザ装置が測定完成後に如何に測定結果を報告するかの情報を示し、例えば、周期的報告又は非周期的報告である。周期的報告の使用を確定した時に、基地局は、該報告情報中で、周期報告及び/又は測定結果報告のために使用するリソース位置（例えば、測定結果を報告するサブフレーム内で測定結果をキャリーする時間領域、周波数、又は空間領域リソースの位置）；及び/又は、トリガーメッセージ（ユーザが該トリガーメッセージを受信した後に測定結果に対しての周期性的報告を開始する）；及び/又は、トリガーメッセージを送信する位置などを指定することができる。非周期的報告の使用を確定した時に、該報告情報は、トリガーメッセージ（ユーザが該トリガーメッセージを受信した後に測定結果を報告する）；及び/又は、トリガーメッセージを送信する位置（第n個目のサブフレーム上で送信する）；及び/又は、測定結果報告のために使用するリソース位置（例えば、トリガーメッセージ受信後の第n個目のサブフレーム、及び、該サブフレーム内の時間領域、周波数、又は空間領域リソースの位置）を含んでも良い。
【００４１】
本実施例のステップ302では、ステップ301の判断結果が「変わる」の場合、基地局は、該１つのサブフレームのチャネル状態測定の関連情報を構成することができ、そのうち、該関連情報は、チャネル状態測定の構成情報、該構成情報に対応する指示情報、又は、チャネル状態測定の構成情報及び該構成情報に対応する指示情報を含む。以下、それぞれ上述の３種類の実施方式について説明する。
【００４２】
１つの実施方式では、該関連情報は、チャネル状態測定の構成情報を含み、この場合、ステップ302では、基地局は、上述の構成情報、例えば、該サブフレーム内で測定されるリソース情報、測定されるリソース上で伝送される、測定される信号情報、チャネル状態測定の類型情報、チャネル状態測定の処理情報、チャネル状態測定の報告情報のうちの１つ又は複数を直接構成し、また、ステップ303では、ステップ302で構成された構成情報をユーザ装置に通知し、これにより、該ユーザ装置は、該構成情報に基づいてチャネル状態測定を行う。
【００４３】
もう１つの実施方式では、該関連情報は、該構成情報に対応する指示情報を含み、この場合、該方法は、さらに、基地局が予め複数種の異なる類型の構成情報を構成することを含み、そのうち、各類型の構成情報が含む情報は、異なる。なお、具体的な構成情報の構成方法は、上述のようであるため、ここでは、重複説明が省略される。また、異なる類型は、異なる指示情報により表され、例えば、該指示情報は、チャネル状態情報プロセス標識（CSI  process  ID）により表することができ、基地局は、予め上述の構成情報と上述の指示情報との対応関係をユーザ装置に通知し、ステップ303では、基地局は、該指示情報をユーザ装置に通知し、ユーザ装置は、該指示情報に基づいて、対応する構成情報を確定し、また、該構成情報に基づいてチャネル状態測定を行う。そのうち、基地局は、ステップ301の前又はステップ301の後に予め複数種の異なる類型の構成情報を構成しても良いが、本実施例は、これに限定されない。
【００４４】
またもう１つの実施方式では、該関連情報は、チャネル状態測定の構成情報及び該構成情報に対応する指示情報を含んでも良く、そのうち構成情報及び指示情報の具体的な構成方式は、上述のようであるため、ここでは、その詳しい説明を省略する。
【００４５】
本実施例では、該関連情報は、無線リソース制御（Radio  Resource  Control、RRC）メッセージ又は物理層メッセーにより搬送されても良いが、本実施例は、これに限定されない。
【００４６】
本実施例のステップ303では、基地局は、該１つのサブフレームの内又はその前で該基地局のカバレッジ内の１つ又は複数のユーザ装置に前記関連情報を通知しても良い。ここで、基地局のカバレッジ内の１つ又は複数のユーザ装置は、ステップ301で下り伝送ノードが変わるユーザ装置だけでなく、他のユーザ装置も含む。言い換えると、ステップ303で通知を受けるユーザ装置は、サブフレーム内でスケジューリングされるユーザ装置に限られず、該基地局のカバレッジ内の他のスケジューリングされないユーザ装置も含む。
【００４７】
上述の実施例から分かるように、基地局は、１つのサブフレーム内で、あるユーザ装置の下り伝送ノードが変わるかを判断し、変わる場合、該１つのサブフレームのチャネル状態測定の関連情報を構成し、ユーザ装置が前記関連情報に基づいてチャネル状態測定を行うようにさせる。これにより、下り伝送ノードがサブフレームを単位として変化しても、ユーザ装置は、チャネル状態測定を正確に行うことができる。
【実施例２】
【００４８】
本発明の実施例は、チャネル状態測定方法を提供し、ユーザ装置側からそれを説明する。なお、実施例1と同じ内容は、省略される。
【００４９】
図4は、本発明の実施例2のチャネル状態測定方法のフローチャートである。図4に示すように、該方法は、次のようなステップを含む。
【００５０】
ステップ401：基地局が、１つのサブフレーム内で、あるユーザ装置の下り伝送ノードが変わると判断した場合、ユーザ装置は、該基地局が通知した該１つのサブフレームのチャネル状態測定の関連情報を受信し；
ステップ402：該ユーザ装置は、該関連情報に基づいてチャネル状態測定を行う。
【００５１】
本実施例では、該関連情報の構成及び送信の具体的な実施方式は、実施例1と同じであるため、ここでは、その詳しい説明を省略する。
【００５２】
本実施例では、該関連情報が、構成情報に対応する指示情報である時に、該方法は、さらに、ユーザ装置が予め、前記基地局の通知した前記構成情報及び前記構成情報と前記指示情報との対応関係を受信することを含む。
【００５３】
本実施例では、チャネル状態測定を行うユーザ装置は、下り伝送ノードが変わるユーザ装置であっても良く、該基地局のカバレッジ内の他のユーザ装置であっても良く、本実施例は、これに限定されない。
【００５４】
本実施例のステップ402では、ユーザ装置が該関連情報を受信した後に、ユーザ装置は、関連情報に含まれるチャネル状態測定の構成情報及び/又は構成情報に対応する指示情報に基づいて、チャネル状態の測定を行う。
【００５５】
例えば、ユーザ装置は、指定されたリソース上で、対応する信号に対して、指定された測定類型に従って測定を行い、そして、構成された測定結果の処理情報に従って、測定結果の処理を行う。その後、構成された測定結果の報告情報に従って、測定結果の報告を行う。周期的報告について、トリガーメッセージが構成された場合、報告プロセスは、トリガーメッセージ受信後に行われ、その後、構成されたサブフレーム内の指定リソース上で報告を行い、トリガーメッセージが構成されない場合、ユーザは、測定結果取得後に、周期的報告の構成に従って指定位置上で結果を報告し、また、非周期的報告について、報告プロセスは、トリガーメッセージ受信後に行われ、ユーザは、指定されたサブフレーム内の指定リソース位置上で測定結果を報告することができる。
【００５６】
例えば、該構成情報は、時間領域リソースN、CRS、干渉測定、サブフレームの測定結果で過去の同類型の測定結果を置換すること、周期的報告（周期T、測定結果を伝送するリソースM）を含み、この場合、ユーザ装置は、該構成情報受信後にチャネル状態測定を行う時に、該サブフレーム内のリソースNを測定する必要があり、測定する信号がCRSであり、また、干渉測定も行い、測定結果取得後に、過去の同類型の測定結果を置換して最後の測定結果とし、また、該測定結果は、リソースMにおいて周期Tで基地局に報告する。なお、ここでは、一例として説明しているが、ユーザ装置の具体的な測定方法については、従来技術を参照することができ、本実施例では、これに限定されない。
【００５７】
上述の実施例から分かるように、基地局は、１つのサブフレーム内で、あるユーザ装置の下り伝送ノードが変わるかを判断し、変わる場合、該１つのサブフレームのチャネル状態測定の関連情報を構成し、ユーザ装置に、前記関連情報に基づいてチャネル状態測定を行わせる。これにより、下り伝送ノードがサブフレームを単位として変化しても、ユーザ装置は、チャネル状態測定を正確に行うことができる。
【実施例３】
【００５８】
本発明の実施例は、チャネル状態測定装置を提供し、該装置は、基地局に構成され得る。本発明の実施例は、実施例1のチャネル状態測定方法に対応し、同じ内容は、省略される。
【００５９】
図5は、本発明の実施例のチャネル状態測定装置の構成図である。図5に示すように、装置500は、判断ユニット501、構成ユニット502及び通知ユニット503を含む。
【００６０】
そのうち、判断ユニット501は、１つのサブフレーム内で、あるユーザ装置の下り伝送ノードが変わるかを判断し；構成ユニット502は、前記判断ユニット501の判断結果が「変わる」の場合、前記１つのサブフレームのチャネル状態測定の関連情報を構成し；通知ユニット503は、前記基地局のカバレッジ内の１つ又は複数のユーザ装置に前記関連情報を通知し、前記１つ又は複数のユーザ装置に、前記関連情報に基づいてチャネル状態測定を行わせる。
【００６１】
本実施例では、判断ユニット501は、具体的に、前記１つのサブフレーム内で、前記ユーザ装置の下り伝送ノードが第一伝送ノードから第二伝送ノードに変わる場合、又は、前記１つのサブフレーム内で、前記ユーザ装置が、第一伝送ノードによる上りサービスから第二伝送ノードによる下りサービスに変わる場合、１つのサブフレーム内で、前記ユーザ装置の下り伝送ノードが変わると判定する。
【００６２】
本実施例では、該関連情報の構成及び送信の具体的な実施方式は、実施例1と同じであり、ここでは、重複説明が省略される。
【００６３】
そのうち、関連情報が、前記構成情報に対応する指示情報である時に、通知ユニット503は、予め、該構成情報及び該構成情報と該指示情報との対応関係を該ユーザ装置に通知する。
【００６４】
本実施例では、通知ユニット503は、前記１つサブフレームの内又はその前で前記ユーザ装置に前記関連情報を通知することができる。
【００６５】
本発明の実施例は、さらに、基地局を提供し、それは、上述の実施例に記載のチャネル状態測定装置500を含む。
【００６６】
図6は、本発明の実施例の基地局の構成図である。図6に示すように、基地局600は、中央処理装置（CPU）601及び記憶器610を含み、記憶器610は、中央処理装置601に接続される。そのうち、該記憶器610は、各種データ、例えば構成情報を記憶することができ、また、チャネル状態測定用のプログラムを記憶することもでき、且つ、中央処理装置601の制御下で該プログラムを、基地局が関連情報を構成するように実行することができる。
【００６７】
１つの実施方式では、チャネル状態測定装置500の機能は、中央処理装置601に統合することができる。そのうち、中央処理装置601は、次のように構成されても良く、即ち、実施例1に記載のチャネル状態測定方法を実現する。即ち、中央処理装置601は、次のように構成されても良く、即ち、１つのサブフレーム内で、あるユーザ装置の下り伝送ノードが変わるかを判断し；変わると判断された場合、該１つのサブフレームのチャネル状態測定の関連情報を構成し；及び、該基地局のカバレッジ内の１つ又は複数のユーザ装置に該関連情報を通知し、該１つ又は複数のユーザ装置が該関連情報に基づいてチャネル状態測定を行うように制御する。
【００６８】
もう１つの実施方式では、チャネル状態測定装置500は、中央処理装置601と独立して構成されても良く、例えば、チャネル状態測定装置500を、中央処理装置601に接続されるチップとして構成し、中央処理装置601の制御によりチャネル状態測定装置500の機能を実現しても良い。
【００６９】
また、図6に示すように、基地局600は、さらに、送受信機620及びアンテナ630などを含んでも良く、そのうち、これらの部品の機能は、従来技術に類似したので、ここでは、詳しい説明を省略する。なお、基地局600は、必ずしも、図6中のすべての部品を含む必要がない。また、基地局600は、さらに、図6に無い部品を含んでも良く、これについては、従来技術を参照することができる。
【００７０】
上述の実施例から分かるように、基地局は、１つのサブフレーム内で、あるユーザ装置の下り伝送ノードが変わるかを判断し、変わる場合、該１つのサブフレームのチャネル状態測定の関連情報を構成し、ユーザ装置に、前記関連情報に基づいてチャネル状態測定を行わせる。これにより、下り伝送ノードがサブフレームを単位として変化しても、ユーザ装置は、チャネル状態測定を正確に行うことができる。
【実施例４】
【００７１】
本発明の実施例は、チャネル状態測定装置を提供し、該装置は、ユーザ装置に構成され得る。本発明の実施例は、実施例2のチャネル状態測定方法に対応し、同じ内容は、省略される。
【００７２】
図7は、本発明の実施例のチャネル状態測定装置の構成図である。図7に示すように、装置700は、受信ユニット701及び処理ユニット702を含む。
【００７３】
そのうち、受信ユニット701は、基地局が、１つのサブフレーム内で、あるユーザ装置の下り伝送ノードが変わると判定した場合、前記基地局が通知した前記１つのサブフレームのチャネル状態測定の関連情報を受信し；処理ユニット702は、前記関連情報に基づいてチャネル状態測定を行う。
【００７４】
本実施例では、該関連情報の構成及び送信の具体的な実施方式は、実施例1と同じであり、ここでは、詳しい説明を省略する。
【００７５】
本実施例では、関連情報が、構成情報に対応する指示情報である時に、受信ユニット701は、予め、基地局が通知した構成情報及び該構成情報と指示情報との対応関係を受信する。
【００７６】
本実施例では、処理ユニット702の具体的な測定方法は、実施例2を参照することができ、ここでは、詳細な説明を省略する。
【００７７】
本発明の実施例は、さらに、ユーザ装置を提供し、該ユーザ装置は、上述の実施例に記載のチャネル状態測定装置700を含む。
【００７８】
図8は、本発明の実施例のユーザ装置800のシステム構成を示す図である。図8に示すように、該ユーザ装置800は、中央処理装置801及び記憶器840を含み、記憶器840は、中央処理装置800に接続される。なお、該図は、例示に過ぎず、さらに他の類型の結構を以て該構造に対して補充又は代替を行うことで、電気通信機能又は他の機能を実現することもできる。
【００７９】
１つの実施方式では、チャネル状態測定装置700の機能は、中央処理装置801に統合することができる。そのうち、中央処理装置801は、実施例2に記載のチャネル状態測定方法を実現するように構成されても良い。即ち、中央処理装置801は、次のように構成されても良く、即ち、基地局が１つのサブフレーム内で、あるユーザ装置の下り伝送ノードが変わると判断した場合、該基地局が通知した該１つのサブフレームのチャネル状態測定の関連情報を受信し；及び、該関連情報に基づいてチャネル状態測定を行うように制御する。
【００８０】
もう１つの実施方式では、チャネル状態測定装置700は、中央処理装置801と別々で構成されても良く、例えば、チャネル状態測定装置700を、中央処理装置801に接続されるチップとして構成し、中央処理装置801の制御によりチャネル状態測定装置700の機能を実現しても良い。
【００８１】
図8に示すように、該ユーザ装置800は、さらに、通信モジュール810、入力ユニット820、音声処理ユニット830、表示器860、電源870を含んでも良い。なお、ユーザ装置800は、必ずしも、図8中のすべての部品を含む必要がない。また、ユーザ装置800は、さらに、図8に無い部品を含んでも良く、これについては、従来技術を参照することができる。
【００８２】
図8に示すように、中央処理装置801は、制御器又は操作コントローラと称される場合があり、マイクロプロセッサ又は他の処理装置及び/又は論理装置を含んでも良い。また、該中央処理装置801は、入力を受信し、ユーザ装置800の各部品の操作を制御することもできる。
【００８３】
そのうち、記憶器840は、例えば、バッファ、フレッシュメモリ、HDD、移動可能な媒体、揮発性記憶器、不揮発性記憶器又は他の適切な装置のうちの一つ又は複数であっても良い。上述のような情報を記憶することができ、また、さらに情報処理用のプログラムを記憶することもできる。中央処理装置801は、該記憶器840に記憶された該プログラムを、情報の記憶又は処理などを実現するために実行することができる。他の部品の機能は、従来に類似したので、ここでは、詳しい説明を省略する。ユーザ装置800の各部品は、専用ハードウェア、ファームウェア、ソフトウェア又はその組み合わせにより実現されても良く、これらは、すべて、本発明の範囲に属する。
【００８４】
上述の実施例から分かるように、基地局は、１つのサブフレーム内で、あるユーザ装置の下り伝送ノードが変わるかを判断し、変わる場合、該１つのサブフレームのチャネル状態測定の関連情報を構成し、また、ユーザ装置は、前記関連情報に基づいてチャネル状態測定を行う。これにより、下り伝送ノードがサブフレームを単位として変化しても、ユーザ装置は、正確にチャネル状態測定を行うことができる。
【実施例５】
【００８５】
本発明の実施例は、さらに、通信システムを提供し、それは、実施例3に記載の基地局及び実施例4に記載のユーザ装置を含み、実施例1〜4と同じ内容は、省略される。
【００８６】
図9は、本発明の実施例の通信システムの構成図である。図9に示すように、通信システム900は、基地局901及びユーザ装置902を含む。
【００８７】
基地局901は、１つのサブフレーム内で、あるユーザ装置の下り伝送ノードが変わるかを判断し；判断結果が「変わる」の場合、前記１つのサブフレームのチャネル状態測定の関連情報を構成し；前記基地局のカバレッジ内の１つ又は複数のユーザ装置902に前記関連情報を通知し、前記１つ又は複数のユーザ装置902に、前記関連情報に基づいてチャネル状態測定を行わせ、また、前記１つ又は複数のユーザ装置902は、基地局が通知した前記関連情報を受信し、前記関連情報に基づいてチャネル状態測定を行う。
【００８８】
本実施例では、基地局901は、前記１つのサブフレーム内で、前記あるユーザ装置の下り伝送ノードが、第一伝送ノードから第二伝送ノードに変更される場合、又は、前記１つのサブフレーム内で前記あるユーザ装置が、第一伝送ノードによる上りサービスから第二伝送ノードによる下りサービスに変更される場合、１つのサブフレーム内で、前記あるユーザ装置の下り伝送ノードが変更すると判定する。
【００８９】
本実施例では、該関連情報の構成及び送信の具体的な実施方式は、実施例1と同じであり、ここでは、詳しい説明を省略する。
【００９０】
そのうち、関連情報が、前記構成情報に対応する指示情報である時に、基地局901は、予め、該構成情報及び該構成情報と該指示情報との対応関係をユーザ装置902に通知する。
【００９１】
本実施例では、基地局901は、前記１つのサブフレームの内又はその前でユーザ装置902に関連情報を通知することができる。
【００９２】
上述の実施例から分かるように、基地局は、１つのサブフレーム内で、あるユーザ装置の下り伝送ノードが変わるかを判断し、変わる場合、該１つのサブフレームのチャネル状態測定の関連情報を構成し、ユーザ装置が前記関連情報に基づいてチャネル状態測定を行うようにさせる。これにより、下り伝送ノードがサブフレームを単位として変化しても、ユーザ装置は、正確にチャネル状態測定を行うことができる。
【００９３】
本発明の実施例は、さらに、コンピュータ可読プログラムを提供し、そのうち、基地局中で前記プログラムを実行する時に、前記プログラムは、コンピュータに、前記基地局中で実施例1に記載のチャネル状態測定方法を実行させる。
【００９４】
本発明の実施例は、さらに、コンピュータ可読プログラムを記憶した記憶媒体を提供し、そのうち、前記コンピュータ可読プログラムは、コンピュータに、基地局中で実施例1に記載のチャネル状態測定方法を実行させる。
【００９５】
本発明の実施例は、さらに、コンピュータ可読プログラムを提供し、そのうち、ユーザ装置中で前記プログラムを実行する時に、前記プログラムは、コンピュータに、前記ユーザ装置中で実施例2に記載のチャネル状態測定方法を実行させる。
【００９６】
本発明の実施例による装置及び方法は、ソフトウェアにより実現されても良く、ハードェアにより実現されてもよく、ハードェア及びソフトウェアの組み合わせにより実現されても良い。また、本発明は、このようなコンピュータ可読プログラムにも関し、即ち、前記プログラムは、ロジック部品により実行される時に、前記ロジック部品に、上述の装置又は構成要素を実現させることができ、又は、前記ロジック部品に、上述の方法又はそのステップを実現させることができる。さらに、本発明は、上述のプログラムを記憶するための記憶媒体、例えば、ハードディスク、磁気ディスク、光ディスク、DVD、フレッシュメモリなどにも関する。
【００９７】
また、図面に記載の機能ブロックのうちの１つ又は複数の組み合わせ及び／又は機能ブロックの１つ又は複数の組み合わせは、本願に記載の機能を実行するための汎用処理器、デジタル信号処理器（DSP）、専用集積回路（ASIC）、フィールドプログラマブルゲートアレイ（FPGA）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの１つ又は複数の組み合わせ及び／又は機能ブロックの１つ又は複数の組み合わせは、さらに、計算装置の組み合わせ、例えば、DSP及びマイクロプロセッサの組み合わせ、複数のマイクロプロセッサ、DSPと通信により接続される１つ又は複数のマイクロプロセッサ又は他の任意のこのような構成として構成されても良い。
【００９８】
以上、本発明の好ましい実施方式を説明したが、本発明はこの実施方式に限定されず、本発明の趣旨を離脱しない限り、本発明に対するあらゆる変更は本発明の技術的範囲に属する。
【図１】
2018509080.tif 000003
【図２】
2018509080.tif 000004
【図３】
2018509080.tif 000005
【図４】
2018509080.tif 000006
【図５】
2018509080.tif 000007
【図６】
2018509080.tif 000008
【図７】
2018509080.tif 000009
【図８】
2018509080.tif 000010
【図９】
2018509080.tif 000011
【国際調査報告】
2018509080.tif 000012
2018509080.tif 000013
2018509080.tif 000014
2018509080.tif 000015